(57)【要約】【課題】本発明は防風ハンガーを開示した。【解決手段】本発明は防風ハンガーを公示し、、ハンガーを含み、前記ハンガーの上側にはフックが回転できるように設けられ、前記フックの中にはロック装置が設けられ、前記ハンガーの左右両側にはサポート装置が対称的に設けられ、前記ロック装置は前記フックの中に設けられる円弧スライドチャンバを含み、前記円弧スライドチャンバの中には弧形ロッドが設けられ、前記弧形ロッドの右の部分の外円弧面には弧形ラックが設けられ、スペースの大きさに合わせて選択でき、本装置をさまざまな方法で固定することができ、安定した乾燥を確保するために、衣服がハンガーと一緒に吹き飛ばされるのを防ぐ。【選択図】図１
2020179115.tif 000002
【特許請求の範囲】
【請求項１】
正面視で、防風ハンガーであり、ハンガーを含み、前記ハンガーの上側にはフックが回転できるように設けられ、前記フックの中にはロック装置が設けられ、前記ハンガーの左右両側にはサポート装置が対称的に設けられ、前記ロック装置は前記フックの中に設けられる円弧スライドチャンバを含み、前記円弧スライドチャンバの中には弧形ロッドが設けられ、前記弧形ロッドの右の部分の外円弧面には弧形ラックが設けられ、前記フックの中には前記弧形ロッドに対応して延長チャンバが設けられ、前記延長チャンバの下側には内ラチェット歯車が設けられ、前記フックの下側部分の上側には押圧ブロックが設けられ、前記サポート装置は前記ハンガーの中に左右に対称的に設けられる反転ロッドを含み、前記反転ロッドのうち対称中心から離れている側にはサポートブロックが設けられ、前記反転ロッドのうち中心に近接している側には従動平歯車が設けられ、前記反転ロッドの下側には駆動平歯車が設けられ、
前記弧形ロッドのうち前記弧形ラックが設けられる一端は前記延長チャンバの中に伸びて封じることができ、前記弧形ラックは前記内ラチェット歯車と噛み合い且つ前記内ラチェット歯車を回転連動させ、更に前記押圧ブロックを連動させて上昇させ且つ前記駆動平歯車を回転連動させ、前記反転ロッドを垂直状態に反転させると、前記サポートブロックを連動させて上昇させて両端でサポートを提供し、
スペースが狭いときは前記サポート装置を使用しなく、スペースが大きい時は前記サポート装置を用いて安定性を高めることを特徴とする防風ハンガー。
【請求項２】
前記ロック装置は前記円弧スライドチャンバの中にスライドできるように設けられる弧形ブロックを含み、前記弧形ロッドの左端が前記弧形ブロックに固定的に連結され、前記弧形ブロックの上端と前記円弧スライドチャンバの右端壁との間には円弧バネが連結され、前記円弧スライドチャンバの外円壁には外に開口したガイドスライドチャンバが連通して設けられ、前記弧形ブロックの左端には前記ガイドスライドチャンバを貫通したガイドスライダーが固定的に設けられ、前記ガイドスライダーのうち円弧中心から離れている端は外部に延びていて回し板と固定的に連結され、前記延長チャンバの下側には伝動チャンバが連通して設けられ、前記内ラチェット歯車が前記伝動チャンバの中に回転できるように設けられ、前記内ラチェット歯車の前端には駆動傘歯車が固定的に設けられ、前記駆動傘歯車の下端には従動傘歯車が噛み合って設けられ、前記内ラチェット歯車の後側には前記伝動チャンバの内壁にスライドできるように連結されるスライダーが設けられ、前記スライダーの前端には前記内ラチェット歯車と一方向に噛み合うラチェットが固定的に設けられ、前記スライダーの後端と前記伝動チャンバの内壁との間には圧縮ばねが連結され、前記スライダーの後端にはプルロッドが固定的に設けられ、前記プルロッドの後端にはプルブロックが固定的に設けられ、前記伝動チャンバの前側には上に開口した昇降チャンバが設けられ、前記駆動傘歯車の前端には前記昇降チャンバの中に伸びている伝動軸が固定的に連結され、前記伝動軸の前端にはラック歯車が固定的に連結され、前記ラック歯車の右側には前記昇降チャンバにスライドできるように係合される昇降ロッドが設けられ、前記押圧ブロックが前記昇降ロッドの上端に連結され、前記昇降ロッドの左端面には前記ラック歯車と噛み合う平ラックが固定的に設けられ、
前記弧形ロッドが前記延長チャンバの内に延びる長さを制御することにより、前記押圧ブロックが上昇する高さを制御することを特徴とする請求項１に記載の防風ハンガー。
【請求項３】
前記サポート装置は前記ハンガーの中に左右に対称的に設けられる反転チャンバを含み、前記反転ロッドのうち中心に近接している側の前後両端が前記反転チャンバの内壁に回転できるように係合され、前記反転ロッドの中には中心から離れている方向に開口した伸縮チャンバが設けられ、前記伸縮チャンバの中には伸縮ロッドがスライドできるように設けられ、前記伸縮ロッドのうち中心から離れている一端が前記サポートブロックに固定的に連結され、前記伸縮ロッドの中には中心に開口したねじチャンバが設けられ、前記ねじチャンバの中には前記従動平歯車に固定的に連結されるボルトがねじ山によって連結されていて、前記反転ロッドを垂直状態に反転させ、前記従動平歯車は前記駆動平歯車と噛み合うことを特徴とする請求項１に記載の防風ハンガー。
【請求項４】
前記ハンガーの中には回転チャンバが設けられ、前記回転チャンバの中には回転支柱が回転できるように設けられ、前記フックが前記回転支柱の上端に連結され、前記回転チャンバの下側には回転盤チャンバが連通して設けられ、前記回転盤チャンバの中には前記回転支柱の下端に固定的に連結される回転盤が回転できるように設けられ、前記回転盤チャンバの下側にはプーリチャンバが設けられ、前記プーリチャンバの中には駆動プーリが回転できるように設けられ、前記駆動プーリの上端には動力軸が固定的に連結され、前記動力軸の上端は前記伝動チャンバの中に伸びており且つ前記従動傘歯車の下端に固定的に連結され、前記駆動プーリの左右両側には従動プーリが対称的に且つ回転できるように設けられ、前記駆動プーリと前記従動プーリとの間には伝動ベルトが伝動できるように連結され、前記従動プーリの上端にはシンクロ軸が固定的に連結され、前記同期軸の上端が前記駆動平歯車の下端に固定的に連結されることを特徴とする請求項１に記載の防風ハンガー。
【発明の詳細な説明】
【技術分野】
【０００１】
本発明は生活用品技術分野を取り上げて、具体的には防風ハンガーである。
【背景技術】
【０００２】
服を干すとき、強い風のため、衣服はハンガーと一緒に吹き飛ばされたりあるいは  ハンガーバーの一側に吹き飛ばされたりすることがよくあり、乾燥の効果に深刻な影響を及ぼし、衣服さえ失い、したがって、防風ハンガーが実に必要であり、本装置はハンガーをハンガーバーに締めることができ、同時に、ハンガーを固定することができ、吹き飛ばされることを防止できるだけでなく、ハンガーの安定性も保証できる。
【先行技術文献】
【特許文献】
【０００３】
【特許文献１】中国特許出願公開第108888070号明細書
【発明の概要】
【発明が解決しようとする課題】
【０００４】
本発明は防風ハンガーを提供し、既存技術にある上記の欠点を解消することを目的とする。
【課題を解決するための手段】
【０００５】
本発明の防風ハンガーは、ハンガーを含み、前記ハンガーの上側にはフックが回転できるように設けられ、前記フックの中にはロック装置が設けられ、前記ハンガーの左右両側にはサポート装置が対称的に設けられ、前記ロック装置は前記フックの中に設けられる円弧スライドチャンバを含み、前記円弧スライドチャンバの中には弧形ロッドが設けられ、前記弧形ロッドの右の部分の外円弧面には弧形ラックが設けられ、前記フックの中には前記弧形ロッドに対応して延長チャンバが設けられ、前記延長チャンバの下側には内ラチェット歯車が設けられ、前記フックの下側部分の上側には押圧ブロックが設けられ、前記サポート装置は前記ハンガーの中に左右に対称的に設けられる反転ロッドを含み、前記反転ロッドのうち対称中心から離れている側にはサポートブロックが設けられ、前記反転ロッドのうち中心に近接している側には従動平歯車が設けられ、前記反転ロッドの下側には駆動平歯車が設けられ、
前記弧形ロッドのうち前記弧形ラックが設けられる一端は前記延長チャンバの中に伸びて封じることができ、前記弧形ラックは前記内ラチェット歯車と噛み合い且つ前記内ラチェット歯車を回転連動させ、更に前記押圧ブロックを連動させて上昇させ且つ前記駆動平歯車を回転連動させ、前記反転ロッドを垂直状態に反転させると、前記サポートブロックを連動させて上昇させて両端でサポートを提供し、
ペースが狭いときは前記サポート装置を使用しなく、スペースが大きい時は前記サポート装置を用いて安定性を高める。
【０００６】
有益的には、前記ロック装置は前記円弧スライドチャンバの中にスライドできるように設けられる弧形ブロックを含み、前記弧形ロッドの左端が前記弧形ブロックに固定的に連結され、前記弧形ブロックの上端と前記円弧スライドチャンバの右端壁との間には円弧バネが連結され、前記円弧スライドチャンバの外円壁には外に開口したガイドスライドチャンバが連通して設けられ、前記弧形ブロックの左端には前記ガイドスライドチャンバを貫通したガイドスライダーが固定的に設けられ、前記ガイドスライダーのうち円弧中心から離れている端は外部に延びていて回し板と固定的に連結され、前記延長チャンバの下側には伝動チャンバが連通して設けられ、前記内ラチェット歯車が前記伝動チャンバの中に回転できるように設けられ、前記内ラチェット歯車の前端には駆動傘歯車が固定的に設けられ、前記駆動傘歯車の下端には従動傘歯車が噛み合って設けられ、前記内ラチェット歯車の後側には前記伝動チャンバの内壁にスライドできるように連結されるスライダーが設けられ、前記スライダーの前端には前記内ラチェット歯車と一方向に噛み合うラチェットが固定的に設けられ、前記スライダーの後端と前記伝動チャンバの内壁との間には圧縮ばねが連結され、前記スライダーの後端にはプルロッドが固定的に設けられ、前記プルロッドの後端にはプルブロックが固定的に設けられ、前記伝動チャンバの前側には上に開口した昇降チャンバが設けられ、前記駆動傘歯車の前端には前記昇降チャンバの中に伸びている伝動軸が固定的に連結され、前記伝動軸の前端にはラック歯車が固定的に連結され、前記ラック歯車の右側には前記昇降チャンバにスライドできるように係合される昇降ロッドが設けられ、前記押圧ブロックが前記昇降ロッドの上端に連結され、前記昇降ロッドの左端面には前記ラック歯車と噛み合う平ラックが固定的に設けられ、
前記弧形ロッドが前記延長チャンバの内に延びる長さを制御することにより、前記押圧ブロックが上昇する高さを制御する。
【０００７】
有益的には、前記サポート装置は前記ハンガーの中に左右に対称的に設けられる反転チャンバを含み、前記反転ロッドのうち中心に近接している側の前後両端が前記反転チャンバの内壁に回転できるように係合され、前記反転ロッドの中には中心から離れている方向に開口した伸縮チャンバが設けられ、前記伸縮チャンバの中には伸縮ロッドがスライドできるように設けられ、前記伸縮ロッドのうち中心から離れている一端が前記サポートブロックに固定的に連結され、前記伸縮ロッドの中には中心に開口したねじチャンバが設けられ、前記ねじチャンバの中には前記従動平歯車に固定的に連結されるボルトがねじ山によって連結されていて、前記反転ロッドを垂直状態に反転させ、前記従動平歯車は前記駆動平歯車と噛み合う。
【０００８】
有益的には、前記ハンガーの中には回転チャンバが設けられ、前記回転チャンバの中には回転支柱が回転できるように設けられ、前記フックが前記回転支柱の上端に連結され、前記回転チャンバの下側には回転盤チャンバが連通して設けられ、前記回転盤チャンバの中には前記回転支柱の下端に固定的に連結される回転盤が回転できるように設けられ、前記回転盤チャンバの下側にはプーリチャンバが設けられ、前記プーリチャンバの中には駆動プーリが回転できるように設けられ、前記駆動プーリの上端には動力軸が固定的に連結され、前記動力軸の上端は前記伝動チャンバの中に伸びており且つ前記従動傘歯車の下端に固定的に連結され、前記駆動プーリの左右両側には従動プーリが対称的に且つ回転できるように設けられ、前記駆動プーリと前記従動プーリとの間には伝動ベルトが伝動できるように連結され、前記従動プーリの上端にはシンクロ軸が固定的に連結され、前記同期軸の上端が前記駆動平歯車の下端に固定的に連結される。
【発明の効果】
【０００９】
本発明の有益な効果は：本発明は構造が簡単で、操作が便利で、本装置で衣服を干すときは、スペースの大きさに合わせて選択でき、本装置をさまざまな方法で固定することができ、安定した乾燥を確保するために、衣服がハンガーと一緒に吹き飛ばされるのを防ぐ。
【図面の簡単な説明】
【００１０】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１１】
【図１】図１は本発明の防風ハンガーの内部全体構成略図
【図２】図２は図１におけるＡ−Ａ方向からの構成略図
【図３】図３は図１が狭い空間においての作動状態の構成略図
【図４】図４は図１が広い空間においての作動状態の構成略図
【発明を実施するための形態】
【００１２】
下記に図１〜４を合わせて本発明について詳しく説明します。説明を便利にさせるように、ここで下記の方位に規定する：下記の上下左右前後という方向は図１の自身の投影関係の上下左右前後の方向と一致する。
【００１３】
図１〜４を参照し、本発明の実施例の防風ハンガーは、ハンガー１１を含み、前記ハンガー１１の上側にはフック１２が回転できるように設けられ、前記フック１２の中にはロック装置１００が設けられ、前記ハンガー１１の左右両側にはサポート装置１０１が対称的に設けられ、前記ロック装置１００は前記フック１２の中に設けられる円弧スライドチャンバ１３を含み、前記円弧スライドチャンバ１３の中には弧形ロッド１４が設けられ、前記弧形ロッド１４の右の部分の外円弧面には弧形ラック１５が設けられ、前記フック１２の中には前記弧形ロッド１４に対応して延長チャンバ１６が設けられ、前記延長チャンバ１６の下側には内ラチェット歯車１７が設けられ、前記フック１２の下側部分の上側には押圧ブロック１８が設けられ、前記サポート装置１０１は前記ハンガー１１の中に左右に対称的に設けられる反転ロッド１９を含み、前記反転ロッド１９のうち対称中心から離れている側にはサポートブロック２０が設けられ、前記反転ロッド１９のうち中心に近接している側には従動平歯車２１が設けられ、前記反転ロッド１９の下側には駆動平歯車２２が設けられ、
前記弧形ロッド１４のうち前記弧形ラック１５が設けられる一端は前記延長チャンバ１６の中に伸びて封じることができ、前記弧形ラック１５は前記内ラチェット歯車１７と噛み合い且つ前記内ラチェット歯車１７を回転連動させ、更に前記押圧ブロック１８を連動させて上昇させ且つ前記駆動平歯車２２を回転連動させ、前記反転ロッド１９を垂直状態に反転させると、前記サポートブロック２０を連動させて上昇させて両端でサポートを提供し、
スペースが狭いときは前記サポート装置１０１を使用しなく、スペースが大きい時は前記サポート装置１０１を用いて安定性を高める。
【００１４】
有益的には、前記ロック装置１００は前記円弧スライドチャンバ１３の中にスライドできるように設けられる弧形ブロック２３を含み、前記弧形ロッド１４の左端が前記弧形ブロック２３に固定的に連結され、前記弧形ブロック２３の上端と前記円弧スライドチャンバ１３の右端壁との間には円弧バネ２４が連結され、前記円弧スライドチャンバ１３の外円壁には外に開口したガイドスライドチャンバ２６が連通して設けられ、前記弧形ブロック２３の左端には前記ガイドスライドチャンバ２６を貫通したガイドスライダー２７が固定的に設けられ、前記ガイドスライダー２７のうち円弧中心から離れている端は外部に延びていて回し板２８と固定的に連結され、前記延長チャンバ１６の下側には伝動チャンバ２９が連通して設けられ、前記内ラチェット歯車１７が前記伝動チャンバ２９の中に回転できるように設けられ、前記内ラチェット歯車１７の前端には駆動傘歯車３０が固定的に設けられ、前記駆動傘歯車３０の下端には従動傘歯車３１が噛み合って設けられ、前記内ラチェット歯車１７の後側には前記伝動チャンバ２９の内壁にスライドできるように連結されるスライダー３２が設けられ、前記スライダー３２の前端には前記内ラチェット歯車１７と一方向に噛み合うラチェット３３が固定的に設けられ、前記スライダー３２の後端と前記伝動チャンバ２９の内壁との間には圧縮ばね３４が連結され、前記スライダー３２の後端にはプルロッド３５が固定的に設けられ、前記プルロッド３５の後端にはプルブロック３６が固定的に設けられ、前記伝動チャンバ２９の前側には上に開口した昇降チャンバ３７が設けられ、前記駆動傘歯車３０の前端には前記昇降チャンバ３７の中に伸びている伝動軸３８が固定的に連結され、前記伝動軸３８の前端にはラック歯車３９が固定的に連結され、前記ラック歯車３９の右側には前記昇降チャンバ３７にスライドできるように係合される昇降ロッド４０が設けられ、前記押圧ブロック１８が前記昇降ロッド４０の上端に連結され、前記昇降ロッド４０の左端面には前記ラック歯車３９と噛み合う平ラック４１が固定的に設けられ、
前記弧形ロッド１４が前記延長チャンバ１６の内に延びる長さを制御することにより、前記押圧ブロック１８が上昇する高さを制御する。
【００１５】
有益的には、前記サポート装置１０１は前記ハンガー１１の中に左右に対称的に設けられる反転チャンバ５１を含み、前記反転ロッド１９のうち中心に近接している側の前後両端が前記反転チャンバ５１の内壁に回転できるように係合され、前記反転ロッド１９の中には中心から離れている方向に開口した伸縮チャンバ５２が設けられ、前記伸縮チャンバ５２の中には伸縮ロッド５３がスライドできるように設けられ、前記伸縮ロッド５３のうち中心から離れている一端が前記サポートブロック２０に固定的に連結され、前記伸縮ロッド５３の中には中心に開口したねじチャンバ５４が設けられ、前記ねじチャンバ５４の中には前記従動平歯車２１に固定的に連結されるボルト５５がねじ山によって連結され、
前記反転ロッド１９を垂直状態に反転させ、前記従動平歯車２１は前記駆動平歯車２２と噛み合う。  
【００１６】
有益的には、前記ハンガー１１の中には回転チャンバ４２が設けられ、前記回転チャンバ４２の中には回転支柱４３が回転できるように設けられ、前記フック１２が前記回転支柱４３の上端に連結され、前記回転チャンバ４２の下側には回転盤チャンバ４４が連通して設けられ、前記回転盤チャンバ４４の中には前記回転支柱４３の下端に固定的に連結される回転盤４５が回転できるように設けられ、前記回転盤チャンバ４４の下側にはプーリチャンバ４６が設けられ、前記プーリチャンバ４６の中には駆動プーリ４７が回転できるように設けられ、前記駆動プーリ４７の上端には動力軸４８が固定的に連結され、前記動力軸４８の上端は前記伝動チャンバ２９の中に伸びており且つ前記従動傘歯車３１の下端に固定的に連結され、前記駆動プーリ４７の左右両側には従動プーリ４９が対称的に且つ回転できるように設けられ、前記駆動プーリ４７と前記従動プーリ４９との間には伝動ベルト５０が伝動できるように連結され、前記従動プーリ４９の上端にはシンクロ軸５６が固定的に連結され、前記同期軸５６の上端が前記駆動平歯車２２の下端に固定的に連結される。
【００１７】
初期状態では、反転ロッド１９は水平状態にあり且つ反転チャンバ５１の中に位置し、弧形ロッド１４は円弧スライドチャンバ１３の中に完全に収縮し、押圧ブロック１８の下端はフック１２と当接する。
【００１８】
服を干すとき、スペースが狭い場合、洋服をハンガー１１にかけ、回し板２８を回し、ガイドスライダー２７によって弧形ブロック２３を連動させてスライドさせ、弧形ロッド１４の右端を連動させて延長チャンバ１６の中に伸びさせ、弧形ラック１５は内ラチェット歯車１７と噛み合い且つ内ラチェット歯車１７を回転連動させ、前記駆動傘歯車３０を回転連動させて伝動軸３８によってラック歯車３９を回転連動させ、平ラック４１を上昇連動させて昇降ロッド４０を上昇連動させ、押圧ブロック１８を上昇連動させてハンガーバーの下端に当接し、このとき、駆動傘歯車３０は歯車の噛合によって従動傘歯車３１を回転連動させ、動力軸４８によって駆動プーリ４７を回転連動させ、伝動ベルト５０によって従動プーリ４９を回転連動させ、シンクロ軸５６によって駆動平歯車２２を回転連動させ、
スペースが大きい場合、フック１２を回してハンガー１１に対して垂直にならせ、反転ロッド１９を垂直状態に反転させ、このとき、従動平歯車２１は駆動平歯車２２と噛み合い、回し板２８を回し、このとき、押圧ブロック１８が上昇し、同時に、駆動平歯車２２は従動平歯車２１を回転連動させてボルト５５を回転連動させ、ねじ山による連結によって伸縮ロッド５３を上昇連動させてサポートブロック２０を上昇連動させ、フック１２の両側の物干し竿の下端に強く当接させ、
収めるとき、プルブロック３６を引き動かしてプルロッド３５を介してスライダー３２を連動させて後ろに移動させ、このとき、内ラチェット歯車１７とラチェット３３とが噛合状態から離脱し、このとき、弧形ロッド１４は円弧ばね２４の弾性力によって復帰する。
【００１９】
本発明の有益な効果は：本発明は構造が簡単で、操作が便利で、本装置で衣服を干すときは、スペースの大きさに合わせて選択でき、本装置をさまざまな方法で固定することができ、安定した乾燥を確保するために、衣服がハンガーと一緒に吹き飛ばされるのを防ぐ。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179115.tif 000003
【図２】
2020179115.tif 000004
【図３】
2020179115.tif 000005
【図４】
2020179115.tif 000006